(57)【要約】【課題】モータジェネレータが内燃機関をアシストする際に、内燃機関のトルクとモータジェネレータのトルクを適切かつ高精度に算出する。【解決手段】実施形態による制御装置１は、運転者により設定された設定スロットル開度およびモータジェネレータ３の回転情報に基づいて目標総合トルクを算出する目標総合トルク算出部１１と、設定スロットル開度および回転情報に基づいて電子式スロットルバルブの仮想スロットル開度を算出する仮想スロットル開度算出部１２と、仮想スロットル開度および回転情報に基づいて目標エンジントルクを算出する目標エンジントルク算出部１３と、目標総合トルクから目標エンジントルクを差し引くことにより目標モータトルクを算出する目標モータトルク算出部１４と、を備える。
2018016083.tif 000002
【特許請求の範囲】
【請求項１】
吸気経路に電子式スロットルバルブが配設された内燃機関と、前記内燃機関に機械的に接続され、前記内燃機関の回転を受けて発電可能であるとともに前記内燃機関にトルクを付与可能なモータジェネレータとを有するハイブリッド車両のトルクを制御する制御装置であって、
運転者により設定された設定スロットル開度および前記モータジェネレータの回転情報に基づいて、目標総合トルクを算出する目標総合トルク算出部と、
前記設定スロットル開度および前記回転情報に基づいて、前記電子式スロットルバルブの仮想スロットル開度を算出する仮想スロットル開度算出部と、
前記仮想スロットル開度および前記回転情報に基づいて、目標エンジントルクを算出する目標エンジントルク算出部と、
前記目標総合トルクから前記目標エンジントルクを差し引くことにより、目標モータトルクを算出する目標モータトルク算出部と、
を備えることを特徴とする制御装置。
【請求項２】
前記仮想スロットル開度算出部は、前記モータジェネレータによる前記内燃機関のアシストの可否を判定し、前記アシストが可能である場合に、前記仮想スロットル開度を算出することを特徴とする請求項１に記載の制御装置。
【請求項３】
前記仮想スロットル開度算出部は、前記設定スロットル開度よりも小さいスロットル開度を前記仮想スロットル開度として算出することを特徴とする請求項２に記載の制御装置。
【請求項４】
前記ハイブリッド車両は、前記モータジェネレータにより発電された電力を蓄電可能であるとともに前記モータジェネレータに電力を供給可能なバッテリを有するバッテリ装置をさらに備え、
前記仮想スロットル開度算出部は、前記バッテリに関するバッテリ情報および前記モータジェネレータのステータス情報に基づいて前記アシストの可否を判定することを特徴とする請求項２に記載の制御装置。
【請求項５】
前記仮想スロットル開度算出部は、前記バッテリの電圧または充電率が閾値以上であり、かつ前記モータジェネレータに異常が無い場合に、前記アシストが可能であると判定することを特徴とする請求項４に記載の制御装置。
【請求項６】
前記仮想スロットル開度算出部は、前記バッテリの電圧が低くなるにつれて、前記仮想スロットル開度が前記設定スロットル開度よりも大きくなるように前記仮想スロットル開度を算出することを特徴とする請求項４に記載の制御装置。
【請求項７】
前記目標総合トルク算出部は、前記内燃機関のトルクおよび前記モータジェネレータのトルクからなる総合トルクと、前記回転情報と、前記設定スロットル開度との関係を示す複数の総合トルクマップから、ドライブモードおよび／またはギヤポジションに基づいて総合トルクマップを選択し、前記設定スロットル開度および前記回転情報を用いて前記選択された総合トルクマップを検索することにより、前記目標総合トルクを算出することを特徴とする請求項１に記載の制御装置。
【請求項８】
前記仮想スロットル開度算出部は、前記仮想スロットル開度と、前記回転情報と、前記設定スロットル開度との関係を示す複数の仮想スロットル開度マップから、ドライブモード、前記設定スロットル開度および前記回転情報の少なくともいずれか一つ以上に基づいて、仮想スロットル開度マップを選択し、前記設定スロットル開度および前記回転情報を用いて前記選択された仮想スロットル開度マップを検索することにより、前記仮想スロットル開度を算出することを特徴とする請求項１に記載の制御装置。
【請求項９】
前記目標エンジントルク算出部は、前記内燃機関のトルクと、前記回転情報と、前記仮想スロットル開度との関係を示す複数のエンジントルクマップから、前記仮想スロットル開度の変化率に基づいてエンジントルクマップを選択し、前記仮想スロットル開度および前記回転情報を用いて前記選択されたエンジントルクマップを検索することにより、前記目標エンジントルクを算出することを特徴とする請求項１に記載の制御装置。
【請求項１０】
前記目標モータトルクに基づいて、前記モータジェネレータを駆動する電力変換回路を制御するための制御信号を生成するモータ制御信号生成部と、
前記目標エンジントルクに基づいて、点火タイミングおよび燃料噴射量を制御するための制御信号を生成するエンジン制御信号生成部と、
をさらに備えることを特徴とする請求項１に記載の制御装置。
【請求項１１】
前記モータジェネレータは、前記ハイブリッド車両が発車する際に前記内燃機関を回転始動させる始動モータとして機能することを特徴とする請求項１に記載の制御装置。
【請求項１２】
前記ハイブリッド車両はハイブリッド二輪車であることを特徴とする請求項１に記載の制御装置。
【請求項１３】
吸気経路に電子式スロットルバルブが配設された内燃機関と、前記内燃機関に機械的に接続され、前記内燃機関の回転を受けて発電可能であるとともに前記内燃機関にトルクを付与可能なモータジェネレータとを有するハイブリッド車両のトルクを制御する制御方法であって、
目標総合トルク算出部が、運転者により設定された設定スロットル開度および前記モータジェネレータの回転情報に基づいて、目標総合トルクを算出し、
仮想スロットル開度算出部が、前記設定スロットル開度および前記回転情報に基づいて、前記電子式スロットルバルブの仮想スロットル開度を算出し、
目標エンジントルク算出部が、前記仮想スロットル開度および前記回転情報に基づいて、目標エンジントルクを算出し、
目標モータトルク算出部が、前記目標総合トルクから前記目標エンジントルクを差し引くことにより、目標モータトルクを算出することを特徴とする制御方法。
【発明の詳細な説明】
【技術分野】
【０００１】
本発明は、ハイブリッド車両の制御装置および制御方法に関する。
【背景技術】
【０００２】
従来、内燃機関（エンジン）と電動機（モータ）を動力源とするハイブリッド車両が知られている。このハイブリッド車両では、モータがモータジェネレータとして構成されているものがある。モータジェネレータは、内燃機関にトルクを付与して内燃機関をアシストすることが可能であるとともに、内燃機関による走行中に発電を行うことも可能である。【０００３】
また、従来、二輪車等の車両では、内燃機関のクランク軸に接続され、当該内燃機関の回転を受けて発電する交流発電機（Ａｌｔｅｒｎａｔｉｎｇ  Ｃｕｒｒｅｎｔ  Ｇｅｎｅｒａｔｏｒ：ＡＣＧ）が設けられている。交流発電機で発電された交流電力は、レギュレートレクチファイヤ（ＲＥＧ／ＲＥＣＴ）によってバッテリに応じた直流電力に変換された後、バッテリに供給される。【０００４】
特許文献１には、ハイブリッド電気自動車の制御装置が記載されている。この制御装置では、アクセルペダルが急激に踏み込まれて要求トルクが急増した場合に、電動機のトルクを利用することにより、内燃機関のトルクの増加を要求トルクの急増よりも緩やかにする。
【先行技術文献】
【特許文献】
【０００５】
【特許文献１】特開２０１１−０６３０８９号公報
【発明の概要】
【発明が解決しようとする課題】
【０００６】
ところで、ハイブリッド車両において、上記の交流発電機を、発電機として機能するだけでなく、内燃機関にトルクを付与可能な電動機としても機能することが可能なモータジェネレータとして構成し、このモータジェネレータにより内燃機関のアシストを行うことが考えられる。この場合、加速時だけでなく、巡航速度で走行している間や減速時などを含む広範な走行状況下において所要のトルクが得られるように、内燃機関およびモータジェネレータのトルクをそれぞれ適切かつ高精度に算出する必要がある。【０００７】
また、ハイブリッド二輪車等のハイブリッド車両では、従来の機械的スロットル機構に代えて、電子制御によりスロットルバルブの開度を調整する電子式スロットルバルブ機構を用いることが増えてきている。このような電子式スロットルバルブ機構を有するハイブリッド車両において、所要のトルクを内燃機関のトルク（エンジントルク）と電動機のトルク（モータトルク）に適切かつ高精度に分配することも必要である。【０００８】
そこで、本発明は、電子式スロットルバルブ機構を有するハイブリッド車両において、モータジェネレータが内燃機関をアシストする際に、内燃機関のトルクとモータジェネレータのトルクを適切かつ高精度に算出することができるハイブリッド車両の制御装置および制御方法を提供することを目的とする。
【課題を解決するための手段】
【０００９】
本発明に係る制御装置は、
吸気経路に電子式スロットルバルブが配設された内燃機関と、前記内燃機関に機械的に接続され、前記内燃機関の回転を受けて発電可能であるとともに前記内燃機関にトルクを付与可能なモータジェネレータとを有するハイブリッド車両のトルクを制御する制御装置であって、
運転者により設定された設定スロットル開度および前記モータジェネレータの回転情報に基づいて、目標総合トルクを算出する目標総合トルク算出部と、
前記設定スロットル開度および前記回転情報に基づいて、前記電子式スロットルバルブの仮想スロットル開度を算出する仮想スロットル開度算出部と、
前記仮想スロットル開度および前記回転情報に基づいて、目標エンジントルクを算出する目標エンジントルク算出部と、
前記目標総合トルクから前記目標エンジントルクを差し引くことにより、目標モータトルクを算出する目標モータトルク算出部と、
を備えることを特徴とする。【００１０】
また、前記制御装置において、
前記仮想スロットル開度算出部は、前記モータジェネレータによる前記内燃機関のアシストの可否を判定し、前記アシストが可能である場合に、前記仮想スロットル開度を算出するようにしてもよい。【００１１】
また、前記制御装置において、
前記仮想スロットル開度算出部は、前記設定スロットル開度よりも小さいスロットル開度を前記仮想スロットル開度として算出するようにしてもよい。【００１２】
また、前記制御装置において、
前記ハイブリッド車両は、前記モータジェネレータにより発電された電力を蓄電可能であるとともに前記モータジェネレータに電力を供給可能なバッテリを有するバッテリ装置をさらに備え、
前記仮想スロットル開度算出部は、前記バッテリに関するバッテリ情報および前記モータジェネレータのステータス情報に基づいて前記アシストの可否を判定するようにしてもよい。【００１３】
また、前記制御装置において、
前記仮想スロットル開度算出部は、前記バッテリの電圧または充電率が閾値以上であり、かつ前記モータジェネレータに異常が無い場合に、前記アシストが可能であると判定するようにしてもよい。【００１４】
また、前記制御装置において、
前記仮想スロットル開度算出部は、前記バッテリの電圧が低くなるにつれて、前記仮想スロットル開度が前記設定スロットル開度よりも大きくなるように前記仮想スロットル開度を算出するようにしてもよい。【００１５】
また、前記制御装置において、
前記目標総合トルク算出部は、前記内燃機関のトルクおよび前記モータジェネレータのトルクからなる総合トルクと、前記回転情報と、前記設定スロットル開度との関係を示す複数の総合トルクマップから、ドライブモードおよび／またはギヤポジションに基づいて総合トルクマップを選択し、前記設定スロットル開度および前記回転情報を用いて前記選択された総合トルクマップを検索することにより、前記目標総合トルクを算出するようにしてもよい。【００１６】
また、前記制御装置において、
前記仮想スロットル開度算出部は、前記仮想スロットル開度と、前記回転情報と、前記設定スロットル開度との関係を示す複数の仮想スロットル開度マップから、ドライブモード、前記設定スロットル開度および前記回転情報の少なくともいずれか一つ以上に基づいて、仮想スロットル開度マップを選択し、前記設定スロットル開度および前記回転情報を用いて前記選択された仮想スロットル開度マップを検索することにより、前記仮想スロットル開度を算出するようにしてもよい。【００１７】
また、前記制御装置において、
前記目標エンジントルク算出部は、前記内燃機関のトルクと、前記回転情報と、前記仮想スロットル開度との関係を示す複数のエンジントルクマップから、前記仮想スロットル開度の変化率に基づいてエンジントルクマップを選択し、前記仮想スロットル開度および前記回転情報を用いて前記選択されたエンジントルクマップを検索することにより、前記目標エンジントルクを算出するようにしてもよい。【００１８】
また、前記制御装置において、
前記目標モータトルクに基づいて、前記モータジェネレータを駆動する電力変換回路を制御するための制御信号を生成するモータ制御信号生成部と、
前記目標エンジントルクに基づいて、点火タイミングおよび燃料噴射量を制御するための制御信号を生成するエンジン制御信号生成部と、
をさらに備えてもよい。【００１９】
また、前記制御装置において、
前記モータジェネレータは、前記ハイブリッド車両が発車する際に前記内燃機関を回転始動させる始動モータとして機能するようにしてもよい。【００２０】
また、前記制御装置において、
前記ハイブリッド車両はハイブリッド二輪車であってもよい。【００２１】
本発明に係る制御方法は、
吸気経路に電子式スロットルバルブが配設された内燃機関と、前記内燃機関に機械的に接続され、前記内燃機関の回転を受けて発電可能であるとともに前記内燃機関にトルクを付与可能なモータジェネレータとを有するハイブリッド車両のトルクを制御する制御方法であって、
目標総合トルク算出部が、運転者により設定された設定スロットル開度および前記モータジェネレータの回転情報に基づいて、目標総合トルクを算出し、
仮想スロットル開度算出部が、前記設定スロットル開度および前記回転情報に基づいて、前記電子式スロットルバルブの仮想スロットル開度を算出し、
目標エンジントルク算出部が、前記仮想スロットル開度および前記回転情報に基づいて、目標エンジントルクを算出し、
目標モータトルク算出部が、前記目標総合トルクから前記目標エンジントルクを差し引くことにより、目標モータトルクを算出することを特徴とする。
【発明の効果】
【００２２】
本発明では、運転者により設定された設定スロットル開度および回転情報に基づいて目標総合トルクを算出する。そして、設定スロットル開度および回転情報に基づいて電子式スロットルバルブの仮想スロットル開度を算出し、算出された仮想スロットル開度に基づいて目標エンジントルクを算出する。このように仮想スロットル開度に基づいて目標エンジントルクを算出するため、目標エンジントルクを適切かつ高精度に算出することができる。また、目標総合トルクから目標エンジントルクを差し引くことにより目標モータトルクを算出するため、目標モータトルクを適切かつ高精度に算出することができる。【００２３】
よって、本発明によれば、電子式スロットルバルブ機構を有するハイブリッド車両において、モータジェネレータが内燃機関をアシストする際に、内燃機関のトルクとモータジェネレータのトルクを適切かつ高精度に算出することができる。
【図面の簡単な説明】
【００２４】
【図１】実施形態に係るハイブリッド車両３０の概略的な構成を示す図である。
【図２】ハイブリッド車両３０の電力変換回路５の概略的な構成を示す図である。
【図３】実施形態に係る制御装置１の概略的な構成を示す図である。
【図４】実施形態に係る総合トルクマップのイメージ図である。
【図５】実施形態に係る仮想スロットル開度マップのイメージ図である。
【図６】実施形態に係るエンジントルクマップのイメージ図である。
【図７】実施形態に係る制御方法を説明するためのフローチャートである。
【発明を実施するための形態】
【００２５】
以下、図面を参照しつつ本発明の実施形態に係るについて説明する。
【００２６】
まず、図１を参照して、実施形態に係るハイブリッド車両３０の概略的な構成について説明する。
【００２７】
ハイブリッド車両３０は、内燃機関と電動機の２つの動力源を有するハイブリッド型の二輪車（ハイブリッド二輪車）である。ハイブリッド車両３０は、電子式スロットルバルブ機構を有する。なお、ハイブリッド車両３０は、二輪車に限らず、ハイブリッド型の他の車両（四輪車等）であってもよい。
【００２８】
ハイブリッド車両３０は、図１に示すように、制御装置１と、内燃機関（エンジン）２と、モータジェネレータ（Ｍｏｔｏｒ  Ｇｅｎｅｒａｔｏｒ：ＭＧ）３と、点火装置４と、電力変換回路５と、バッテリ装置６と、記憶装置７と、クラッチ８と、車輪９とを備えている。図１の車輪９は、ハイブリッド二輪車の後輪を示している。
【００２９】
制御装置１は、詳細は後述するが、ハイブリッド車両３０のトルク（エンジントルクおよびモータトルク）を制御するように構成されている。なお、制御装置１は、ハイブリッド車両３０全体を統御するＥＣＵ（Ｅｌｅｃｔｒｏｎｉｃ  Ｃｏｎｔｒｏｌ  Ｕｎｉｔ）として構成されてもよい。
【００３０】
内燃機関２は、燃料ガス（混合気）が燃焼したときの圧力を利用して、クラッチ８を介して車輪９に回転駆動力を出力する。内燃機関２は、吸気経路に電子式スロットルバルブ（図示せず）が配設されている。より詳しくは、運転者（ライダー）のアクセル（グリップ）操作により設定されたスロットル開度（以下、「設定スロットル開度」という。）をアクセルポジションセンサが読み取り、電気信号として制御装置１に送信する。その後、制御装置１は、受信した設定スロットル開度に基づいてスロットル開度を計算し、スロットル開度の調整手段（スロットルモータ等）に指令を送信する。
【００３１】
なお、内燃機関２の種類は特に限定されず、例えば４ストロークエンジンでも、２ストロークエンジンでもよい。
【００３２】
モータジェネレータ３は、図１に示すように、内燃機関２に機械的に接続されている。本実施形態では、モータジェネレータ３は、交流発電機（ＡＣＧ）をベースとしたものであり、内燃機関２のクランク軸にクラッチを介さずに常時接続されている。このモータジェネレータ３は、内燃機関２の回転を受けて発電可能であるとともに、内燃機関２にトルクを付与可能に構成されている。すなわち、モータジェネレータ３は、内燃機関２により回転駆動されているときは発電を行い、三相交流電力を電力変換回路５に出力する。そして、電力変換回路５は、三相交流電力を直流電力に変換し、バッテリ装置６の有するバッテリＢ（直流電源）を充電する。一方、内燃機関２にトルクを付与するときは、モータジェネレータ３は、電力変換回路５から出力される三相交流電力により回転し、内燃機関２をアシストする。
【００３３】
なお、モータジェネレータ３は、ハイブリッド車両３０が発車する際に内燃機関２を回転始動させる始動モータ（セルモータ）として機能してもよい。
【００３４】
点火装置４は、制御装置１から制御信号を受信し、内燃機関２のシリンダー内で圧縮された混合気に適切なタイミングで着火する。なお、点火装置４の種別は特に限定されず、ＣＤＩ（Ｃａｐａｃｉｔｉｖｅ  Ｄｉｓｃｈａｒｇｅ  Ｉｇｎｉｔｉｏｎ）式でもよいし、フルトランジスタ式でもよい。
【００３５】
電力変換回路５は、モータジェネレータ３が内燃機関２をアシストする際には、バッテリ装置６のバッテリＢから出力される直流電力を三相の交流電力に変換してモータジェネレータ３に供給し、モータジェネレータ３を駆動する。一方、モータジェネレータ３が発電する際には、電力変換回路５は、モータジェネレータ３から供給される三相交流電力を直流電力に変換してバッテリ装置６のバッテリＢに出力する。
【００３６】
図２に示すように、電力変換回路５は三相フルブリッジ回路から構成される。半導体スイッチＱ１，Ｑ３，Ｑ５はハイサイドスイッチであり、半導体スイッチＱ２，Ｑ４，Ｑ６はローサイドスイッチである。半導体スイッチＱ１〜Ｑ６の制御端子は、制御装置１に電気的に接続されている。なお、半導体スイッチＱ１〜Ｑ６は、例えばＭＯＳＦＥＴまたはＩＧＢＴ等である。電源端子５ａと電源端子５ｂとの間には平滑コンデンサＣが設けられている。
【００３７】
半導体スイッチＱ１は、バッテリＢの正極が接続された電源端子５ａと、モータジェネレータ３の入力端子３ａとの間に接続されている。同様に、半導体スイッチＱ３は、バッテリＢの正極が接続された電源端子５ａと、モータジェネレータ３の入力端子３ｂとの間に接続されている。半導体スイッチＱ５は、バッテリＢの正極が接続された電源端子５ａと、モータジェネレータ３の入力端子３ｃとの間に接続されている。
【００３８】
半導体スイッチＱ２は、バッテリＢの負極が接続された電源端子５ｂと、モータジェネレータ３の入力端子３ａとの間に接続されている。同様に、半導体スイッチＱ４は、バッテリＢの負極が接続された電源端子５ｂと、モータジェネレータ３の入力端子３ｂとの間に接続されている。半導体スイッチＱ６は、バッテリＢの負極が接続された電源端子５ｂと、モータジェネレータ３の入力端子３ｃとの間に接続されている。なお、入力端子３ａはＵ相の入力端子であり、入力端子３ｂはＶ相の入力端子であり、入力端子３ｃはＷ相の入力端子である。
【００３９】
バッテリ装置６は、充放電可能なバッテリＢと、このバッテリＢを管理するバッテリ管理ユニット（Ｂａｔｔｅｒｙ  Ｍａｎａｇｅｍｅｎｔ  Ｕｎｉｔ：ＢＭＵ）とを含む。バッテリＢは、モータジェネレータ３により発電された電力を蓄電可能であるとともに、モータジェネレータ３に電力を供給可能である。バッテリＢの種類は特に限定されず、例えばリチウムイオン電池である。バッテリ管理ユニットは、バッテリＢの電圧やバッテリＢの状態に関する情報（バッテリ情報）を制御装置１に送信する。
【００４０】
記憶装置７は、制御装置１により用いられる情報（動作プログラムや後述の三次元マップ等）を記憶する。この記憶装置７は、例えば不揮発性の半導体メモリから構成される。
【００４１】
記憶装置７には、総合トルクマップ、仮想スロットル開度マップおよびエンジントルクマップが記憶されている。ここで、「総合トルクマップ」は、図４に示すように、総合トルクと、回転速度と、設定スロットル開度との関係を示す三次元マップである。「仮想スロットル開度マップ」は、図５に示すように、仮想スロットル開度と、回転速度と、設定スロットル開度との関係を示す三次元マップである。「エンジントルクマップ」は、図６に示すように、内燃機関２のトルク（エンジントルク）と、回転速度と、仮想スロットル開度との関係を示す三次元マップである。なお、各三次元マップにおいて回転速度は回転数でもよい。
【００４２】
記憶装置７には、上記３種類の三次元マップについて、それぞれ複数のマップが記憶されている。すなわち、総合トルクマップは、ドライブモードおよびギヤポジションのうち少なくともいずれか一つ以上をパラメータとして作成された複数のマップが記憶されている。仮想スロットル開度マップは、ドライブモード、設定スロットル開度および回転情報のうち少なくともいずれか一つ以上をパラメータとして作成された複数のマップが記憶されている。エンジントルクマップは、仮想スロットル開度の変化率をパラメータとして作成された複数のマップが記憶されている。
【００４３】
次に、図３を参照して、本実施形態に係る制御装置１について詳しく説明する。
【００４４】
制御装置１は、図３に示すように、目標総合トルク算出部１１と、仮想スロットル開度算出部１２と、目標エンジントルク算出部１３と、目標モータトルク算出部１４と、モータ制御信号生成部１５と、エンジン制御信号生成部１６と、を備えている。以下、各構成要素について説明する。
【００４５】
目標総合トルク算出部１１は、総合トルクの目標値を算出する。ここで、「総合トルク」とは、内燃機関２のトルクおよびモータジェネレータ３のトルクからなるトルクである。例えば、総合トルクは、内燃機関２のトルクにモータジェネレータ３のトルクを加えることにより得られるトルクである。
【００４６】
目標総合トルク算出部１１には、端子２１，２２，２３，２４を介して各種情報が入力される。端子２１には、ギヤポジションを示す情報が入力される。端子２２には、回転情報が入力される。本願において、「回転情報」は、モータジェネレータ３の回転速度または回転数（ｒｐｍ）を示す情報である。なお、本実施形態ではモータジェネレータ３と内燃機関２は常時機械的に接続されているため、モータジェネレータ３の回転速度（回転数）は内燃機関２の回転速度（回転数）に等しい。
【００４７】
端子２３には、ドライブモードを示す情報が入力される。なお、ドライブモードは、運転者により設定されるモードであり、例えば、燃費重視のエコドライブモードや加速重視のスポーツモード等がある。端子２４には、アクセルポジションセンサにより読み取られた設定スロットル開度を示す情報が入力される。
【００４８】
目標総合トルク算出部１１は、設定スロットル開度、およびモータジェネレータ３の回転情報に基づいて、目標総合トルクを算出する。より詳しくは、目標総合トルク算出部１１は、まず、記憶装置７に記憶された複数の総合トルクマップから、ドライブモードおよび／またはギヤポジションに基づいて一つの総合トルクマップを選択する。総合トルクマップを選択した後、目標総合トルク算出部１１は、設定スロットル開度および回転情報を用いて、選択された総合トルクマップを検索することにより、目標総合トルクを算出する。
【００４９】
仮想スロットル開度算出部１２には、図３に示すように、端子２２〜２６を介して各種情報が入力される。端子２２、２３および２４には前述の通り、回転情報、ドライブモードおよび設定スロットル開度がそれぞれ入力される。端子２５には、バッテリ装置６のバッテリＢに関するバッテリ情報が入力される。端子２６には、モータジェネレータ３のステータス情報が入力される。ステータス情報は、故障の有無等、モータジェネレータ３の状態を示す情報である。
【００５０】
仮想スロットル開度算出部１２は、設定スロットル開度および回転情報に基づいて、電子式スロットルバルブの仮想スロットル開度を算出する。より詳しくは、仮想スロットル開度算出部１２は、まず、記憶装置７に記憶された複数の仮想スロットル開度マップから、ドライブモード、設定スロットル開度および回転情報の少なくともいずれか一つ以上に基づいて、一つの仮想スロットル開度マップを選択する。仮想スロットル開度マップを選択した後、仮想スロットル開度算出部１２は、設定スロットル開度および回転情報を用いて、選択された仮想スロットル開度マップを検索することにより、仮想スロットル開度を算出する。
【００５１】
目標エンジントルク算出部１３には、仮想スロットル開度算出部１２から、算出された仮想スロットル開度が入力される。また、目標エンジントルク算出部１３には、端子２２を介して回転情報が入力される。
【００５２】
目標エンジントルク算出部１３は、仮想スロットル開度および回転情報に基づいて、目標エンジントルクを算出する。より詳しくは、目標エンジントルク算出部１３は、まず、記憶装置７に記憶された複数のエンジントルクマップから、仮想スロットル開度の変化率に基づいてエンジントルクマップを選択する。エンジントルクマップを選択した後、目標エンジントルク算出部１３は、仮想スロットル開度および回転情報を用いて、選択されたエンジントルクマップを検索することにより、目標エンジントルクを算出する。
【００５３】
目標モータトルク算出部１４には、目標総合トルクおよび目標エンジントルクが入力される。目標モータトルク算出部１４は、目標総合トルクから目標エンジントルクを差し引くことにより、目標モータトルクを算出する。
【００５４】
モータ制御信号生成部１５には、目標モータトルク算出部１４により算出された目標モータトルクが入力される。モータ制御信号生成部１５は、目標モータトルクに基づいて、電力変換回路５を制御するための制御信号を生成する。より具体的には、モータ制御信号生成部１５は、目標モータトルクに基づいて制御信号（ＰＷＭ信号）の通電タイミングおよびデューティ比を算出し、端子２８を介して電力変換回路５の半導体スイッチＱ１〜Ｑ６にＰＷＭ信号を出力する。端子２８は、図３では一つのみ示しているが実際には、半導体スイッチＱ１〜Ｑ６の個数に合わせて６個の端子を有する。なお、通電タイミングは、モータ電気角に対するＰＷＭ信号の位相の進み（進角）または遅れ（遅角）のことであり、モータジェネレータ３がアシスト動作する際には進角となり、発電動作する際には遅角となる。
【００５５】
エンジン制御信号生成部１６には、目標エンジントルク算出部１３により算出された目標エンジントルクが入力される。エンジン制御信号生成部１６は、点火タイミングおよび燃料噴射量を制御するための制御信号を生成する。より具体的には、エンジン制御信号生成部１６は、目標エンジントルクに基づいて、内燃機関２内の混合気を点火する点火装置４の制御信号、および燃料噴射量の制御手段の制御信号を生成する。
【００５６】
上記のように、本実施形態に係る制御装置１では、運転者により設定された設定スロットル開度および回転情報に基づいて目標総合トルクを算出する。そして、設定スロットル開度および回転情報に基づいて電子式スロットルバルブの仮想スロットル開度を算出し、算出された仮想スロットル開度に基づいて目標エンジントルクを算出する。このように仮想スロットル開度に基づいて目標エンジントルクを算出するため、目標エンジントルクを適切かつ高精度に算出することができる。また、目標総合トルクから目標エンジントルクを差し引くことにより目標モータトルクを算出するため、目標モータトルクを適切かつ高精度に算出することができる。
【００５７】
よって、本実施形態によれば、電子式スロットルバルブ機構を有するハイブリッド車両３０において、モータジェネレータ３が内燃機関２をアシストする際に、内燃機関２のトルクとモータジェネレータ３のトルクとを適切かつ高精度に算出することができる。
【００５８】
本実施形態によれば、設定スロットル開度および回転速度に基づく総合トルクを、内燃機関２のトルクとモータジェネレータ３のトルクに適切かつ高精度に分配することが可能となるため、加速時だけでなく巡航速度で走行している間や減速時などを含む広範な走行状況下において所要のトルクが得られる。その結果、例えば、広範な走行状況下において内燃機関２の燃費を改善できるという効果が得られる。
【００５９】
なお、仮想スロットル開度算出部１２は、モータジェネレータ３による内燃機関２のアシストの可否を判定し、アシストが可能である場合に、仮想スロットル開度を算出するようにしてもよい。アシスト可否の判定について、仮想スロットル開度算出部１２は、例えば、バッテリ装置６のバッテリＢに関するバッテリ情報およびモータジェネレータ３のステータス情報に基づいてアシストの可否を判定する。より詳しくは、仮想スロットル開度算出部１２は、バッテリＢの電圧または充電率（Ｓｔａｔｅ  Ｏｆ  Ｃｈａｒｇｅ：ＳＯＣ）が閾値以上であり、かつモータジェネレータ３に異常が無い場合に、モータジェネレータ３によるアシストが可能であると判定する。
【００６０】
次に、図７のフローチャートを参照して、本実施形態に係るハイブリッド車両３０の制御方法について説明する。
【００６１】
まず、目標総合トルク算出部１１が、運転者により設定された設定スロットル開度およびモータジェネレータ３の回転情報に基づいて目標総合トルクを算出する（ステップＳ１）。より詳しくは、前述のように、記憶装置７に記憶された複数の総合トルクマップから一つの総合トルクマップを選択し、選択した総合トルクマップを設定スロットル開度および回転情報を用いて検索することにより目標総合トルクを算出する。
【００６２】
次に、仮想スロットル開度算出部１２が、モータジェネレータ３による内燃機関２のアシストの可否を判定する（ステップＳ２）。より詳しくは、仮想スロットル開度算出部１２は、バッテリＢに関するバッテリ情報およびモータジェネレータ３のステータス情報に基づいてアシストの可否を判定する。例えば、仮想スロットル開度算出部１２は、バッテリＢの電圧または充電率が閾値以上であり、かつモータジェネレータ３に異常が無い場合にアシストが可能であると判定する。
【００６３】
モータジェネレータ３による内燃機関２のアシストが可能である場合（Ｓ２；Ｙｅｓ）、仮想スロットル開度算出部１２が、設定スロットル開度および回転情報に基づいて、電子式スロットルバルブの仮想スロットル開度を算出する（ステップＳ３）。より詳しくは、前述のように、記憶装置７に記憶された複数の仮想スロットル開度マップから一つの仮想スロットル開度マップを選択し、選択した仮想スロットル開度マップを設定スロットル開度および回転情報を用いて検索することにより仮想スロットル開度を算出する。
【００６４】
次に、目標エンジントルク算出部１３が、仮想スロットル開度および回転情報に基づいて目標エンジントルクを算出する（ステップＳ４）。より詳しくは、前述のように、記憶装置７に記憶された複数のエンジントルクマップからエンジントルクマップを選択し、選択したエンジントルクマップを仮想スロットル開度および回転情報を用いて検索することにより目標エンジントルクを算出する。
【００６５】
次に、目標モータトルク算出部１４が、目標総合トルクから目標エンジントルクを差し引くことにより目標モータトルクを算出する（ステップＳ５）。
【００６６】
上記のように、本実施形態に係る制御方法では、設定スロットル開度および回転情報に基づいて目標総合トルクを算出し、設定スロットル開度および回転情報に基づいて仮想スロットル開度を算出し、算出された仮想スロットル開度および回転情報に基づいて目標エンジントルクを算出し、目標総合トルクから目標エンジントルクを差し引くことにより目標モータトルクを算出する。これにより、電子式スロットルバルブ機構を有するハイブリッド車両３０において、モータジェネレータ３が内燃機関２をアシストする際に、内燃機関２のトルクとモータジェネレータ３のトルクを適切かつ高精度に算出することができる。
【００６７】
なお、ステップＳ３において仮想スロットル開度を算出する際、仮想スロットル開度算出部１２は、設定スロットル開度よりも小さいスロットル開度を仮想スロットル開度として算出してもよい。すなわち、スロットル開度を運転者が設定した値よりも小さく見積もる。これにより、ステップＳ４で算出される目標エンジントルクが減少するため、目標総合トルクに占める目標モータトルクの割合が増える。その結果、目標エンジントルクが減少し、内燃機関２の燃費を改善することができる。
【００６８】
また、ステップＳ３において仮想スロットル開度を算出する際、仮想スロットル開度算出部１２は、バッテリＢの電圧が低くなるにつれて、仮想スロットル開度が設定スロットル開度よりも大きくなるように仮想スロットル開度を算出してもよい。これにより、モータジェネレータ３によるアシストの余裕に応じて、総合トルクをエンジントルクとモータトルクに適切に分配することができる。
【００６９】
上記の記載に基づいて、当業者であれば、本発明の追加の効果や種々の変形を想到できるかもしれないが、本発明の態様は、上述した個々の実施形態に限定されるものではない。異なる実施形態にわたる構成要素を適宜組み合わせてもよい。特許請求の範囲に規定された内容及びその均等物から導き出される本発明の概念的な思想と趣旨を逸脱しない範囲で種々の追加、変更及び部分的削除が可能である。
【符号の説明】
【００７０】
１  制御装置
２  内燃機関（エンジン）
３  モータジェネレータ
３ａ，３ｂ，３ｃ  入力端子
４  点火装置
５  電力変換回路
５ａ，５ｂ  電源端子
６  バッテリ装置
７  記憶装置
８  クラッチ
９  車輪
１１  目標総合トルク算出部
１２  仮想スロットル開度算出部
１３  目標エンジントルク算出部
１４  目標モータトルク算出部
１５  モータ制御信号生成部
１６  エンジン制御信号生成部
２１〜２９  端子
３０  ハイブリッド車両
Ｂ  バッテリ
Ｃ  平滑コンデンサ
Ｑ１〜Ｑ６  半導体スイッチ
【図１】
2018016083.tif 000003
【図２】
2018016083.tif 000004
【図３】
2018016083.tif 000005
【図４】
2018016083.tif 000006
【図５】
2018016083.tif 000007
【図６】
2018016083.tif 000008
【図７】
2018016083.tif 000009
【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
吸気経路に電子式スロットルバルブが配設された内燃機関と、前記内燃機関に機械的に接続され、前記内燃機関の回転を受けて発電可能であるとともに前記内燃機関にトルクを付与可能なモータジェネレータとを有するハイブリッド車両のトルクを制御する制御装置であって、
運転者により設定された設定スロットル開度および前記モータジェネレータの回転情報に基づいて、目標総合トルクを算出する目標総合トルク算出部と、
前記設定スロットル開度および前記回転情報に基づいて、前記電子式スロットルバルブの仮想スロットル開度を算出する仮想スロットル開度算出部と、
前記仮想スロットル開度および前記回転情報に基づいて、目標エンジントルクを算出する目標エンジントルク算出部と、
前記目標総合トルクから前記目標エンジントルクを差し引くことにより、目標モータトルクを算出する目標モータトルク算出部と、
を備え、
前記仮想スロットル開度算出部は、前記仮想スロットル開度と、前記回転情報と、前記設定スロットル開度との関係を示す複数の仮想スロットル開度マップから、ドライブモード、前記設定スロットル開度および前記回転情報の少なくともいずれか一つ以上に基づいて、仮想スロットル開度マップを選択し、前記設定スロットル開度および前記回転情報を用いて前記選択された仮想スロットル開度マップを検索することにより、前記仮想スロットル開度を算出することを特徴とする制御装置。
【請求項２】
前記仮想スロットル開度算出部は、前記モータジェネレータによる前記内燃機関のアシストの可否を判定し、前記アシストが可能である場合に、前記仮想スロットル開度を算出することを特徴とする請求項１に記載の制御装置。
【請求項３】
前記仮想スロットル開度算出部は、前記設定スロットル開度よりも小さいスロットル開度を前記仮想スロットル開度として算出することを特徴とする請求項２に記載の制御装置。
【請求項４】
前記ハイブリッド車両は、前記モータジェネレータにより発電された電力を蓄電可能であるとともに前記モータジェネレータに電力を供給可能なバッテリを有するバッテリ装置をさらに備え、
前記仮想スロットル開度算出部は、前記バッテリに関するバッテリ情報および前記モータジェネレータのステータス情報に基づいて前記アシストの可否を判定することを特徴とする請求項２に記載の制御装置。
【請求項５】
前記仮想スロットル開度算出部は、前記バッテリの電圧または充電率が閾値以上であり、かつ前記モータジェネレータに異常が無い場合に、前記アシストが可能であると判定することを特徴とする請求項４に記載の制御装置。
【請求項６】
前記仮想スロットル開度算出部は、前記バッテリの電圧が低くなるにつれて、前記仮想スロットル開度が前記設定スロットル開度よりも大きくなるように前記仮想スロットル開度を算出することを特徴とする請求項４に記載の制御装置。
【請求項７】
前記目標総合トルク算出部は、前記内燃機関のトルクおよび前記モータジェネレータのトルクからなる総合トルクと、前記回転情報と、前記設定スロットル開度との関係を示す複数の総合トルクマップから、ドライブモードおよび／またはギヤポジションに基づいて総合トルクマップを選択し、前記設定スロットル開度および前記回転情報を用いて前記選択された総合トルクマップを検索することにより、前記目標総合トルクを算出することを特徴とする請求項１に記載の制御装置。
【請求項８】
前記目標エンジントルク算出部は、前記内燃機関のトルクと、前記回転情報と、前記仮想スロットル開度との関係を示す複数のエンジントルクマップから、前記仮想スロットル開度の変化率に基づいてエンジントルクマップを選択し、前記仮想スロットル開度および前記回転情報を用いて前記選択されたエンジントルクマップを検索することにより、前記目標エンジントルクを算出することを特徴とする請求項１に記載の制御装置。
【請求項９】
前記目標モータトルクに基づいて、前記モータジェネレータを駆動する電力変換回路を制御するための制御信号を生成するモータ制御信号生成部と、
前記目標エンジントルクに基づいて、点火タイミングおよび燃料噴射量を制御するための制御信号を生成するエンジン制御信号生成部と、
をさらに備えることを特徴とする請求項１に記載の制御装置。
【請求項１０】
前記モータジェネレータは、前記ハイブリッド車両が発車する際に前記内燃機関を回転始動させる始動モータとして機能することを特徴とする請求項１に記載の制御装置。
【請求項１１】
前記ハイブリッド車両はハイブリッド二輪車であることを特徴とする請求項１に記載の制御装置。
【請求項１２】
吸気経路に電子式スロットルバルブが配設された内燃機関と、前記内燃機関に機械的に接続され、前記内燃機関の回転を受けて発電可能であるとともに前記内燃機関にトルクを付与可能なモータジェネレータとを有するハイブリッド車両のトルクを制御する制御方法であって、
目標総合トルク算出部が、運転者により設定された設定スロットル開度および前記モータジェネレータの回転情報に基づいて、目標総合トルクを算出し、
仮想スロットル開度算出部が、前記設定スロットル開度および前記回転情報に基づいて、前記電子式スロットルバルブの仮想スロットル開度を算出し、
目標エンジントルク算出部が、前記仮想スロットル開度および前記回転情報に基づいて、目標エンジントルクを算出し、
目標モータトルク算出部が、前記目標総合トルクから前記目標エンジントルクを差し引くことにより、目標モータトルクを算出し、
前記仮想スロットル開度算出部は、前記仮想スロットル開度と、前記回転情報と、前記設定スロットル開度との関係を示す複数の仮想スロットル開度マップから、ドライブモード、前記設定スロットル開度および前記回転情報の少なくともいずれか一つ以上に基づいて、仮想スロットル開度マップを選択し、前記設定スロットル開度および前記回転情報を用いて前記選択された仮想スロットル開度マップを検索することにより、前記仮想スロットル開度を算出することを特徴とする制御方法。
【国際調査報告】
2018016083.tif 000010
2018016083.tif 000011
2018016083.tif 000012
2018016083.tif 000013